(57)【要約】【課題】資料を提示して顧客と対面しながらその説明をするのに、プロジェクタ４０を利用する。プロジェクタ４０によりスクリーンパネルに投影される画像を顧客側に見やすくする。さらに操作性も良くする。【解決手段】天板２０とこの天板２０を支える脚部２２を備え、脚部２２には、少なくとも一対の椅子１６を対面配置させ、画像表示装置２６を配置する床側空間３２が形成されている。画像表示装置２６は、プロジェクタ４０と、プロジェクタ４０の投影ビームを天板２０側に反射する反射板５０とを備える。スクリーンパネル４４は、天板２０に形成した開口５２に嵌め込まれ、プロジェクタ４０の投影ビームを床側の面に受けて床と反対側の面に投影画像４２を表示する。さらに、スクリーンパネルを揺動させる揺動機構４８を備える。【選択図】図１
0003137345.tif 000002
【実用新案登録請求の範囲】
【請求項１】
天板とこの天板を支える脚部を備え、
前記脚部には、少なくとも一対の椅子を対面配置させ、かつ、画像表示装置を配置する床側空間が形成されており、
前記画像表示装置は、前記脚部の床側空間に配置された棚上に置かれたプロジェクタと、前記プロジェクタの投影ビームを前記天板側に反射する反射板とを備え、
前記天板には、この天板に形成した開口に嵌め込まれ、前記プロジェクタの投影ビームを床側の面に受けて床と反対側の面に投影画像を表示する透過型スクリーンパネルと、このスクリーンパネルの一辺を前記開口の縁に合わせて前記一辺を軸にしてスクリーンパネルを揺動させる揺動機構とが設けられていることを特徴とする対面式デスク。
【請求項２】
請求項１に記載の対面式デスクにおいて、
前記揺動機構は、前記スクリーンパネルを揺動させて、一方の椅子に向くように立ち上げた状態で一時固定するストッパを有することを特徴とする対面式デスク。
【請求項３】
請求項１または２に記載の対面式デスクにおいて、
前記スクリーンパネルは前記天板の開口を完全に塞いで、前記天板上面を平坦化する半透明板からなることを特徴とする対面式デスク。
【請求項４】
請求項１乃至３のいずれかに記載の対面式デスクにおいて、
プロジェクタは、前記床側空間に設けられた可動棚上に支持されていることを特徴とする対面式デスク。
【請求項５】
請求項４に記載の対面式デスクにおいて、
前記プロジェクタと反射板とは、前記可動棚上に一体に固定されていることを特徴とする対面式デスク。
【請求項６】
請求項１乃至５のいずれかに記載の対面式デスクにおいて、
前記脚部の床側空間に設けられた固定棚上に、前記プロジェクタの投影画像を制御する表示画像操作装置が配置されていることを特徴とする対面式デスク。
【請求項７】
請求項１乃至８のいずれかに記載の対面式デスクにおいて、
前記プロジェクタの投影ビームを、対面する椅子の間を結ぶ線に略平行に向けたことを特徴とする対面式デスク。
【請求項８】
請求項７に記載の対面式デスクにおいて、
天板をＬ字形とし、対面する椅子の間を結ぶ線に略平行な線を引いたとき、最も線長の長い部分に、スクリーンパネルを配置したことを特徴とする対面式デスク。
【請求項９】
請求項７に記載の対面式デスクにおいて、
天板を長方形とし、プロジェクタを配置した可動棚を、天板の直下から投影ビームの長さを延長する方向に引き出したことを特徴とする対面式デスク。
【請求項１０】
請求項１乃至９のいずれかに記載の対面式デスクにおいて、
前記天板上であって、対面する椅子の間を結ぶ線と交わらない場所に、前記スクリーンパネルを配置したことを特徴とする対面式デスク。
【請求項１１】
請求項１乃至１０のいずれかに記載の対面式デスクにおいて、
天板上のリモートコントローラから発射されたコントロールビームが、スクリーンパネルまたは前記天板に形成した開口と前記反射板とを経由して前記プロジェクタのコントロールビーム受光部に達する反射経路を形成したことを特徴とする対面式デスク。
【考案の詳細な説明】
【技術分野】
【０００１】
本考案は、対面した相手に対してプロジェクタを使用して資料説明等をする場合に適する対面式デスクに関する。
【背景技術】
【０００２】
文書や図面を提示して説明をするプレゼンテーション用のツールとして、プロジェクタが広く利用されている。プロジェクタは操作性が良く画面サイズの自由度が高いといった利点を有する。このプロジェクタの画像を机上に表示して利用する技術も開発されている（特許文献１参照）。
【特許文献１】特開平８−６２７２２号公報
【考案の開示】
【考案が解決しようとする課題】
【０００３】
金融機関には、複数の顧客を集めて株式市況や金融商品を紹介するコーナーが設けられているところが少なくない。このコーナーでは、プロジェクタを使用して、大画面のスクリーンに株式市況情報やパンフレットや説明書を投影する。パンフレットや説明書を表示するときには、分かりやすい解説がアナウンスされる。一方、銀行の行員がカウンターで顧客と個別に対面して、金融商品の説明をすることも多い。このときには、印刷したパンフレットを提示して解説をしたり、パーソナルコンピュータのディスプレイにパンフレットや説明書や解説を表示することが行なわれる。しかし、印刷物を使用したときには、その解説を行員自らがしなければならない。コンピュータのディスプレイを使用すると自動的に解説もされるが、カウンターの机上が機材に占有されて狭くなり、見通しも悪くなる。
上記の課題を解決するために、本考案は、対面した相手に対してプロジェクタを使用して資料説明等をする場合に適する対面式デスクを提供する。
【課題を解決するための手段】
【０００４】
以下の構成はそれぞれ上記の課題を解決するための手段である。
〈構成１〉
天板とこの天板を支える脚部を備え、上記脚部には、少なくとも一対の椅子を対面配置させ、かつ、画像表示装置を配置する床側空間が形成されており、上記画像表示装置は、上記脚部の床側空間に配置された棚上に置かれたプロジェクタと、上記プロジェクタの投影ビームを上記天板側に反射する反射板とを備え、上記天板には、この天板に形成した開口に嵌め込まれ、上記プロジェクタの投影ビームを床側の面に受けて床と反対側の面に投影画像を表示する透過型スクリーンパネルと、このスクリーンパネルの一辺を上記開口の縁に合わせて上記一辺を軸にしてスクリーンパネルを揺動させる揺動機構とが設けられていることを特徴とする対面式デスク。
【０００５】
プロジェクタによりスクリーンパネルに投影される画像を利用して、顧客と対面しながら資料の説明等をする。スクリーンパネルを揺動させると、画面を顧客に見易い角度に調整することができる。対面式デスクの床側空間を利用して、画像表示装置を配置するので、天板上を他の目的に有効に利用できる。
【０００６】
〈構成２〉
構成１に記載の対面式デスクにおいて、上記揺動機構は、上記スクリーンパネルを揺動させて、一方の椅子に向くように立ち上げた状態で一時固定するストッパを有することを特徴とする対面式デスク。
【０００７】
対面をした一方の椅子に座った人（顧客）に見やすい角度でスクリーンパネルを立ち上げて、その状態で支持固定することができる。
【０００８】
〈構成３〉
構成１または２に記載の対面式デスクにおいて、上記スクリーンパネルは上記天板の開口を完全に塞いで、上記天板上面を平坦化する半透明板からなることを特徴とする対面式デスク。
【０００９】
スクリーンパネルを倒すと天板は平坦な広いデスクになる。また、その状態でも、スクリーンパネルにプロジェクタの画像を表示することができる。
【００１０】
〈構成４〉
構成１乃至３のいずれかに記載の対面式デスクにおいて、プロジェクタは、上記床側空間に設けられた可動棚上に支持されていることを特徴とする対面式デスク。
【００１１】
可動棚上に支持されているので、プロジェクタの調整作業や画像データメモリのプロジェクタへの装着作業が容易になる。
【００１２】
〈構成５〉
構成４に記載の対面式デスクにおいて、上記プロジェクタと反射板とは、上記可動棚上に一体に固定されていることを特徴とする対面式デスク。
【００１３】
プロジェクタと反射板とが可動棚上に一体に固定されていると、可動棚を対面式デスクの床側空間から引き出して、反射板の角度等もプリセットすることができる。
【００１４】
〈構成６〉
構成１乃至５のいずれかに記載の対面式デスクにおいて、上記脚部の床側空間に設けられた固定棚上に、上記プロジェクタの投影画像を制御する表示画像操作装置が配置されていることを特徴とする対面式デスク。
【００１５】
プロジェクタの投影画像を、パーソナルコンピュータ等で制御するとき、これを面式デスクの床側空間に配置して、机上のスペースを確保できる。
【００１６】
〈構成７〉
構成１乃至８のいずれかに記載の対面式デスクにおいて、上記プロジェクタの投影ビームを、対面する椅子の間を結ぶ線に略平行に向けたことを特徴とする対面式デスク。
【００１７】
投影画像を一方の椅子側から見て正立させるには、この構造が最も簡単で調整も容易である。
【００１８】
〈構成８〉
構成７に記載の対面式デスクにおいて、天板をＬ字形とし、対面する椅子の間を結ぶ線に略平行な線を引いたとき、最も線長の長い部分に、スクリーンパネルを配置したことを特徴とする対面式デスク。
【００１９】
対面する椅子の間を結ぶ線に平行な線であって、その線長の最も広い部分にスクリーンパネルを配置すれば、プロジェクタの投影ビームによる投影距離を十分に確保できる。
【００２０】
〈構成９〉
構成７に記載の対面式デスクにおいて、天板を長方形とし、プロジェクタを配置した可動棚を、天板の直下から投影ビームの長さを延長する方向に引き出したことを特徴とする対面式デスク。
【００２１】
天板を単純な構造にして、可動棚を引き出して投影ビームの長さを延長できるようにした。
【００２２】
〈構成１０〉
構成１乃至９のいずれかに記載の対面式デスクにおいて、上記天板上であって、対面する椅子の間を結ぶ線と交わらない場所に、上記スクリーンパネルを配置したことを特徴とする対面式デスク。
【００２３】
スクリーンパネルを立ち上げても対話の邪魔にならない。また、天板上に打ち合わせ資料を置くスペースを確保できる。
【００２４】
〈構成１１〉
構成１乃至１０のいずれかに記載の対面式デスクにおいて、天板上のリモートコントローラから発射されたコントロールビームが、スクリーンパネルまたは上記天板に形成した開口と上反射板とを経由して上記プロジェクタのコントロールビーム受光部に達する反射経路を形成したことを特徴とする対面式デスク。
【００２５】
スクリーンパネルを立ち上げた状態で、天板上のリモートコントローラから赤外線等でデスク下のプロジェクタを制御できる。赤外線等がスクリーンパネルを貫通するようにしてもよい。天板に形成した開口から赤外線を送出してもよい。
【考案を実施するための最良の形態】
【００２６】
以下、本考案の実施の形態を実施例毎に詳細に説明する。
【実施例１】
【００２７】
図１は対面式デスクの使用状態を示す外観斜視図である。
この実施例の対面式デスク１０は、例えば、銀行の行員が顧客に対して金融商品を説明するとき等に利用される。対面式デスク１０は全体として略Ｌ字形をしている。行員１４は手前の椅子１６に座る。顧客は対面式デスク１０を挟んで向かい側の椅子１６に座る。この図では、２台の椅子１６が用意されている。パーテーション１８は、隣接する図示しない別の対面式デスクとの境界に配置される目隠しである。
【００２８】
対面式デスク１０は、天板２０とこの天板２０を支える脚部２２とを備えている。脚部２２の内部の、天板２０と部屋の床３０に挟まれた空間を床側空間と呼ぶことにする。この床側空間には、画像表示装置２６（図５）と表示画像操作装置２８とが配置される。画像表示装置２６はプロジェクタ４０と後で説明する反射板とを含む。表示画像操作装置２８として、この実施例ではノート型のパーソナルコンピュータを使用する。天板２０には開口５２が設けられている。この開口５２に、透過型スクリーンパネル４４が嵌め込まれている。透過型スクリーンパネル４４は、プロジェクタ４０の投影ビームを床側の面に受けて、床と反対側の面に投影画像４２を表示する機能を持つ。
【００２９】
図２は、天板の開口とスクリーンパネルと揺動機構の側面図である。
天板２０の開口５２の縁４６には、スクリーンパネル４４が矢印Ａに示すように揺動可能に支持されている。揺動機構４８は、スクリーンパネル４４の一辺を開口５２の縁４６に合わせて、この一辺を軸にしてスクリーンパネルを揺動させる。揺動機構４８はストッパ４７と支柱４９とを備える。支柱４９の一端は、自在継ぎ手４５を介して透過型スクリーンパネル４４に接続されている。
【００３０】
揺動機構４８は、スクリーンパネル４４を揺動させて、任意の傾斜角度で一時固定する。揺動機構４８のメカニズム自体は周知のものでよいから詳細な説明を省略する。この揺動機構４８により、スクリーンパネル４４は、顧客の座った椅子１６の方向に向けて、見易い角度にセットされる。行員１４はリモートコントローラ５４（図５）によりプロジェクタ４０を操作する。また、あるいは、表示画像操作装置２８を操作して、プロジェクタ４０に表示する画像を選択したり切り換えたりする。
【００３１】
スクリーンパネル４４は天板２０の開口５２を完全に塞いで、天板２０上面を平坦化する。即ち、スクリーンパネル４４を倒すと天板２０は平坦な広いデスクになる。これにより、広い打ち合わせスペースを確保することもできる。また、スクリーンパネル４４を倒した状態でも、スクリーンパネル４４にプロジェクタ４０の画像を表示することができる。この対面式デスク１０は、こうして様々な方法で使用できる。
【００３２】
図３は対面式デスクを上方から見た平面図である。図４は対面式デスクを行員側から見た正面図である。
図３のように、天板２０はＬ字形をしているが、その奥行きの長い部分に開口５２が設けられている。これにより、プロジェクタ４０の投影に必要な奥行きの長い空間が確保される。同時に、行員と顧客とが対面する机上に機材が無い状態が確保できる。
【００３３】
また、図４のように、脚部２２内の床側空間３２には、固定棚３６と可動棚３８とが設けられている。固定棚３６は天板２０と脚部２２とに固定された棚である。ここに表示画像操作装置２８が配置される。一方、可動棚３８は脚部２２と同様に、キャスタ３４を備え、床上を移動させることができる。可動棚３８上に、プロジェクタ４０が配置される。
【００３４】
図５は側板を除去して対面式デスクを矢印Ｂ（図４）方向から見た側面図である。図６は画像表示装置と可動棚の側面図である。
図５のように、天板２０の上にはリモートコントローラ５４が置かれている。例えば、プロジェクタ４０に画像データメモリを装着して、その画像データを順番に切り換えて表示するだけならば、行員はリモートコントローラ５４のボタン操作のみをすればよい。また、表示画面をコンピュータで操作するときには、表示画像操作装置２８をプロジェクタ４０にインタフェースケーブル等を用いて接続し、行員は表示画像操作装置２８を見ながら操作をするとよい。以下の例は、表示画像操作装置２８を使用した説明である。
【００３５】
図の右側に配置した椅子（図１）に行員が座り、左側に配置した椅子（図１）に顧客が座る。透過型スクリーンパネル４４は、顧客側に傾けて立ち上げてある。天板２０の直下に固定棚３６が固定されている。その中に表示画像操作装置２８が配置されている。図５中の固定棚３６の左側と下側とに、画像投影のための床側空間３２が確保されている。この床側空間３２に、可動棚３８（図６）が配置されている。
【００３６】
図６に示すように、可動棚３８上には、プロジェクタ４０と反射板５０とが配置されている。プロジェクタ４０は固定ボルト５８により可動棚３８上に固定されている。反射板５０は、プロジェクタ４０の投影ビーム５１を天板２０側に反射する。反射板５０の反射面５３の角度は、例えば調整ボルト５６により微調整できる。なお、プロジェクタ４０の位置決めと良く知られた台形補正機能により、投影ビーム５１の方向と投影画像４２（図５）の形状や正確な位置合わせも可能である。画像表示装置２６は、このプロジェクタ４０と反射板５０により構成される。
【００３７】
可動棚３８は、キャスタ３４によって、図の矢印Ｃ方向に自由に移動できる。従って、これによっても、投影画像４２の位置調整ができる。また、プロジェクタ４０の調整作業や画像データメモリのプロジェクタ４０への装着作業が容易になる。さらに、プロジェクタ４０と反射板５０とが可動棚３８上に一体に固定されていると、可動棚３８を対面式デスク１０の床側空間３２から引き出して、反射板５０の角度等を調整し易い。
【実施例２】
【００３８】
図７は、実施例２の対面式デスクの使用状態を示す外観斜視図である。図８は実施例２の対面式デスクを上方から見た平面図である。
上記の実施例１では、Ｌ字形の天板２０を使用した。そして、天板２０上に、対面する椅子１６の間を結ぶ線Ｄ（図８）に略平行な線を引いたとき、最も線長の長い部分に、スクリーンパネル４４を配置した。これは、プロジェクタ４０の投影ビーム５１（図５）による投影距離を十分に確保するためである。
【００３９】
プロジェクタ４０に広角のレンズを使えば天板２０の直下にプロジェクタ４０を上向きに配置することもできる。しかし、実施例１では、プロジェクタ４０の操作性やメンテナンス性等を考慮して、プロジェクタ４０を行員の手の届く場所に配置できるようにした。また、投影ビーム５１を複雑に反射させて調整するならば、プロジェクタ４０を様々な場所に配置することも可能である。しかし、やはり操作性や構造の簡素化を考慮して、プロジェクタ４０の投影ビーム５１を、対面する椅子１６の間を結ぶ線Ｄ（図８）に略平行に向けた。これにより、投影画像を一方の椅子側から見て簡単に正立させることができる。
【００４０】
なお、実施例２では、図８に示すように、天板２０を通常の長方形の構造にした。このときプロジェクタ４０を配置した可動棚３８を、天板２０の直下から投影ビーム５１の長さを延長する方向に引き出した。この引き出し量は、投影画像のサイズを見ながら調整するとよい。こうして、プロジェクタ４０の投影ビーム５１による投影距離を確保することができる。さらに、天板２０の形状がシンプルになり、コストも安くなる。プロジェクタ４０の画面を表示画像操作装置２８で操作するときは、可動棚３８の上に置けばよい。
【００４１】
また、図８に示すように、天板２０上であって、対面する椅子１６の間を結ぶ線Ｄと交わらない場所に、スクリーンパネル４４を配置することが好ましい。これにより、スクリーンパネル４４を立ち上げても、これが行員と顧客との対話の邪魔にならない。また、天板２０上に打ち合わせ資料を置くスペースを確保できる。実施例１もこの趣旨で、天板２０を設計している。
【００４２】
以上説明したように、天板に窓を開けて、スクリーンパネル４４をはめ込み、これを立ち上げるようにすると、対面式のデスクで対面した相手に様々な画像データを表示できる。また、その画像切り換え操作を容易にすることで、利便性が高まる。さらに、可動式の棚にプロジェクタを配置すると、スクリーンパネル４４に向けた投影ビームの角度や位置関係の調整が容易になる。
【実施例３】
【００４３】
図９は、実施例３を説明するための対面式デスクの主要部側面図である。
図の天板２０上には、プロジェクタ４０を制御するためのリモートコントローラ５４が置いてある。リモートコントローラ５４からはコントロールビーム６４が発射される。この実施例では、透過型スクリーンパネル４４の下縁部に反射板６２が取り付けてある。反射板６２は投影ビーム５１の障害にならない場所に取り付ける。コントロールビーム６４は、この反射板６２で反射して、反射面５３の方向に向かう。コントロールビーム６４はさらに反射面５３で反射して、プロジェクタ４０のコントロールビーム受光部６５に達する。
【００４４】
即ち、スクリーンパネル４４を立ち上げた状態で、天板２０上のリモートコントローラ５４から発射されたコントロールビーム６４が、スクリーンパネル４４と天板２０に形成した開口と反射板５３とを経由してプロジェクタ４０のコントロールビーム受光部６５に達するような、反射経路が形成されている。その結果、赤外線等を使用したリモートコントローラ５４を机上で操作して、机の下のプロジェクタ４０を制御することができる。プロジェクタ４０にメモリカードを装着できるようなものは、リモートコントローラ５４で十分に操作できる。表示画像操作装置２８を使用する必要がないことも多い。
【００４５】
スクリーンパネル４４が立ち上げられていると、天板２０に形成した開口を経由して、こうした反射経路を形成することができる。スクリーンパネル４４が立ち上げられていなくても、スクリーンパネル４４は半透明であるから、赤外線等はこれを貫通してプロジェクタ４０に達する。なお、この実施例以外にも、任意の場所に任意の数の反射板を取り付けて反射経路を形成して構わない。赤外線は鏡面でなくても簡単に反射させることができるので、反射経路を容易に形成できる。なお、このように、プロジェクタ４０をデスクの下に収納してしまうと、放熱が悪くなるおそれがある。図１０の実施例は、これを防止するために、デスクの側壁に通気口６６を設けている。通気口６６の形状や数、配置等は任意である。天板又は脚部の側壁に自由に設けるとよい。
【図面の簡単な説明】
【００４６】
【図１】実施例１の対面式デスクの使用状態を示す外観斜視図である。
【図２】天板の開口とスクリーンパネルと揺動機構の側面図である。
【図３】実施例１の対面式デスクを上方から見た平面図である。
【図４】実施例１の対面式デスクを行員側から見た正面図である。
【図５】実施例１の側板を除去して対面式デスクを矢印Ｂ（図４）方向から見た側面図である。
【図６】画像表示装置と可動棚の側面図である。
【図７】実施例２の対面式デスクの使用状態を示す外観斜視図である。
【図８】実施例２の対面式デスクを上方から見た平面図である。
【図９】実施例３を説明するための対面式デスクの主要部側面図である。
【図１０】通気口を設けたデスクの主要部側面図である。
【符号の説明】
【００４７】
１０  対面式デスク
１４  行員
１６  椅子
１８  パーテーション
２０  天板
２２  脚部
２６  画像表示装置
２８  表示画像操作装置
３０  部屋の床
３２  床側空間
３４  キャスタ
３６  固定棚
３８  可動棚
４０  プロジェクタ
４２  投影画像
４４  透過型スクリーンパネル
４５  自在継ぎ手
４６  開口の縁
４７  ストッパ
４８  揺動機構
４９  支柱
５０  反射板
５１  投影ビーム
５２  開口
５３  反射面
５４  リモートコントローラ
５６  調整ボルト
５８  固定ボルト
６２  反射板
６４  コントロールビーム
６５  コントロールビーム受光部
６６  通気口
【図１】
0003137345.tif 000003
【図２】
0003137345.tif 000004
【図３】
0003137345.tif 000005
【図４】
0003137345.tif 000006
【図５】
0003137345.tif 000007
【図６】
0003137345.tif 000008
【図７】
0003137345.tif 000009
【図８】
0003137345.tif 000010
【図９】
0003137345.tif 000011
【図１０】
0003137345.tif 000012
【手続補正書】
【提出日】平成19年9月14日(2007.9.14)
【手続補正１】
【補正対象書類名】実用新案登録請求の範囲
【補正対象項目名】請求項７
【補正方法】変更
【補正の内容】
【請求項７】
請求項１乃至６のいずれかに記載の対面式デスクにおいて、
前記プロジェクタの投影ビームを、対面する椅子の間を結ぶ線に略平行に向けたことを特徴とする対面式デスク。